(57)【要約】【課題】足先中央部にかかる荷重や圧迫を、第１趾と第５趾の中足骨末端に移行分散せしめて軽減することができるインソールの提供。【解決手段】足の第１趾から第１中足部に至る足裏の領域にほぼ対応する、やや外方に凸湾曲した弾性帯状体から成る第１趾側インソール部と、足の第５趾から第５中足部に至る足裏の領域にほぼ対応する、やや外方に凸湾曲した弾性帯状体から成る第５趾側インソール部とを備えていることを特徴とするインソール。【選択図】図２
2013027515.tif 000002
【特許請求の範囲】
【請求項１】
足の第１趾から第１中足部に至る足裏の領域にほぼ対応する、やや外方に凸湾曲した弾性帯状体から成る第１趾側インソール部と、足の第５趾から第５中足部に至る足裏の領域にほぼ対応する、やや外方に凸湾曲した弾性帯状体から成る第５趾側インソール部とを備えていることを特徴とするインソール。
【請求項２】
前記第１趾側インソール部と第５趾側インソール部の厚さがそれぞれ１〜３ｍｍで、かつ巾が１．５〜３．０ｃｍであることを特徴とする請求項１記載のインソール。
【請求項３】
前記第１趾側インソール部と第５趾側インソール部が、それぞれ別体に構成されていることを特徴とする請求項１又は２記載のインソール。
【請求項４】
前記第１趾側インソール部と第５趾側インソール部が、先端の第１趾対応部と第５趾対応部において、略馬蹄形状に一体に連成されていることを特徴とする請求項１〜３の何れか１項記載のインソール。
【請求項５】
前記第１趾と第５趾対応部における連成部に切れ込みが形設されていることを特徴とする請求項４記載のインソール。
【請求項６】
前記第１趾側インソール部と第５趾側インソール部の靴内底面との接触面が、不滑性素材で構成されていると共に、当該第１趾側インソール部と第５趾側インソール部の足裏との接触面が、滑性素材で構成されていることを特徴とする請求項１〜５の何れか１項記載のインソール。
【請求項７】
前記第１趾側インソール部と第５趾側インソール部が、それぞれ外側辺縁部に複数の切除部を有することを特徴とする請求項１〜６の何れか１項記載のインソール。
【請求項８】
前記第１趾側インソール部と第５趾側インソール部が、多数の通気孔を有することを特徴とする請求項１〜７の何れか１項記載のインソール。
【請求項９】
前記第１趾側インソール部と第５趾側インソール部を、靴内底部に略ハの字状に設置固定したことを特徴とする狭小足先部を有する靴。
【発明の詳細な説明】
【技術分野】
【０００１】
本発明はインソール、特にハイヒール等の狭小足先部を有する靴用として好適なインソールに関する。
【背景技術】
【０００２】
一般に、市場に供されているインソールは、足裏全体に対応する全面クッションタイプ（例えば、特許文献１参照）と、土踏まず部等に対応する部分パッドタイプ（例えば、特許文献２参照）に大別される。
【０００３】
しかしながら、ハイヒール等の狭小足先部を有する靴は、靴内部にほとんど隙間がなく、足全体とほぼ密着している状態となっているため、全面クッションタイプのインソールはもとより、部分パッドタイプのインソールもそのパッドの厚さの故に圧迫が高まり、却って負担が大きくなる結果、使用できない、と云う問題があった。
而して、特にハイヒールを履いた場合は、足先中央部（第２、第３中足骨末端部）に荷重や圧迫が大きくかかるところ、従来のインソールによっては斯かる荷重を軽減できなかったため、女性は無理をしながら履いていたのが実状であった。
【先行技術文献】
【特許文献】
【０００４】
【特許文献１】特開２０１０−２５３１７５号公報
【特許文献２】特開２０１０−２６４１３９号公報
【発明の概要】
【発明が解決しようとする課題】
【０００５】
本発明は、上記の如き従来の問題と実状に鑑みてなされたものであり、ハイヒール等の狭小足先部を有する靴に使用し得ることはもとより、当該靴の足先中央部（第２、第３中足骨末端部）にかかる荷重や圧迫を軽減することができるインソールを提供することを課題としている。
【課題を解決するための手段】
【０００６】
本発明者は、上記の課題を解決すべく種々検討を重ねた結果、第１趾から第１中足部に至る部分と、第５趾から第５中足部に至る部分に帯状のインソールを装着すれば、足先中央部（第２、第３中足骨末端部）にかかる荷重や圧迫が趾先から第１趾と第５趾の中足骨末端部に移行分散し、当該足先中央部（第２、第３中足骨末端部）への荷重や圧迫を軽減し得ることを見出し、本発明を完成した。
【０００７】
すなわち、本発明は、足の第１趾から第１中足部に至る足裏の領域にほぼ対応する、やや外方に凸湾曲した弾性帯状体から成る第１趾側インソール部と、足の第５趾から第５中足部に至る足裏の領域にほぼ対応する、やや外方に凸湾曲した弾性帯状体から成る第５趾側インソール部とを備えていることを特徴とするインソールにより上記課題を解決したものである。
【発明の効果】
【０００８】
本発明のインソールを用いれば、足先中央部（第２、第３中足骨末端部）に斯かる荷重や圧迫が、第１趾と第５趾の中足骨末端に移行分散して軽減されるので、ハイヒール等の狭小足先部を有する靴であっても無理なく履くことができる。
【図面の簡単な説明】
【０００９】
【図１】本発明インソールの概略平面説明図。
【図２】本発明インソールを靴に装着した状態を示す平面模式説明図。
【図３】本発明インソールを装着した靴を履いた状態を示す平面模式説明図。
【図４】本発明インソールを使用した場合の荷重移行を示す正面模式説明図。
【図５】本発明インソールの他の例を示す概略平面説明図。
【発明を実施するための形態】
【００１０】
以下本発明の実施の形態を図面と共に説明する。
【００１１】
図１において、１０は第１趾側インソール部で、足の第１趾から第１中足部に至る足裏の領域にほぼ対応する、やや外方（第１図において左側）に凸湾曲した弾性帯状体から構成されている。
また、２０は第５趾側インソール部で、足の第５趾から第５中足部に至る足裏の領域にほぼ対応する、やや外方（第１図において右側）に凸湾曲した弾性帯状体から構成されている。
【００１２】
第１趾側インソール部１０と第５趾側インソール部２０の厚さは、ほとんど隙間のない靴内部にも挿置し得るようにそれぞれ１〜３ｍｍ、特に１〜２ｍｍと薄手とするのが望ましい。また、その巾も１．５〜３．０ｃｍ、特に１〜２ｃｍとするのが荷重の移行性並びにインソールの挿置操作性上望ましい。
【００１３】
第１趾側インソール部１０と第５趾側インソール部２０の材質、すなわち帯状体の材質は弾性を有するものであれば特に限定されないが、例えば織物、不織布、シリコン等の合成樹脂が好適に使用される。
また、第１趾側インソール部１０と第５趾側インソール部２０の靴内底面との接触面は、不滑性素材で構成するのが、靴内部への挿置時、インソールのズレを防止する上で望ましく、他方、第１趾側インソール部１０と第５趾側インソール部２０の足裏との接触面は、滑性素材で構成するのが、靴の履き脱ぎがし易い点で望ましい。
【００１４】
第１趾側インソール部１０と第５趾側インソール部２０は平板状であっても良いが、例えば、格子状に多数の通気孔１１，２１を形成すれば、軽量化とムレ防止を図ることができる点でより望ましい。
【００１５】
第１趾側インソール部１０と第５趾側インソール部２０は、図１に示すように、それぞれ別体としても良いが、第５図に示すように、当該第１趾側インソール部１０と第５趾側インソール部２０の両者を、先端の第１趾対応部１０ａと第５趾対応部２０ａにおいて略馬蹄形状に一体に連成したものであっても良い。
この場合、当該連成部に切れ込み３０を形設するのが、第１趾側インソール部１０と第５趾側インソール部２０を広げたり、狭めたりすることにより、靴の形状やサイズに合わせてインソールを挿置し得るので望ましい。
【００１６】
また、当該第１趾側インソール部１０と第５趾側インソール部２０は、それぞれその外側辺縁部に複数の切除部１２，２２を形設するのが、靴の外側にかかる圧迫を軽減し得るので、望ましい。尚、この切除部１２，２２の具体的形状は半円状、三角状、四角状等その如何を問わない。
【００１７】
上記の実施の形態に係るインソールは、第１趾側インソール部１０と第５趾側インソール部２０を、図２に示すように、それらの外側辺縁部が靴の内側面に当たるように靴内部に挿入し、当該靴内底部３０に略ハの字状に配置することによって使用される。因に、当該状態で靴を履いた場合の足指との位置関係は図３に示した状態となり、図４に示す如く、足先中央部（第２、第３中足末端部）にかかる荷重や圧迫が趾先から第１趾と第５趾の中足骨末端に移行分散される。
【００１８】
而して、予め第１趾側インソール部１０と第５趾側インソール部２０を、靴内底部３０に上記の如く略ハの字状に設置固定すれば、荷重や圧迫が軽減されるハイヒール等の狭小足先部を有する靴を提供することができる。
この場合、第１趾側インソール部１０と第５趾側インソール部２０の外側辺縁部に切除部１２，２２が形設されていない場合は、靴の内側面から２〜３ｍｍ程度間隔を空けてハの字状に設置固定するのが、靴の外側にかかる圧迫を軽減する上で望ましい。
【符号の説明】
【００１９】
１０：第１趾側インソール部
１０ａ：第１趾対応部
１１：通気孔
１２：切除部
２０：第５趾側インソール部
２０ａ：第５趾対応部
２１：通気孔
２２：切除部
３０：靴内底部
４０：足
【図１】
2013027515.tif 000003
【図２】
2013027515.tif 000004
【図３】
2013027515.tif 000005
【図４】
2013027515.tif 000006
【図５】
2013027515.tif 000007